(57)【要約】【課題】  電気を使わない構造の簡易な洗剤混合水を供給するシャワー装置を提供する。【解決手段】  一端を供給、他端を吐出口として、配水管を介してそれぞれ給水設備とシャワーヘッドを接続するアスピレータと、一端が該アスピレータに一体に連結し、他端が空気流入部と洗剤流入部となる吸引管と、該空気流入部に介設する空気調整弁と、洗剤流入部の末端が内部に進入する洗剤収納槽とを含み、該アスピレータは、外周面に該吸引管が連結する連結孔を穿設し、該連結孔より該供給口寄りの適宜な位置から内壁が分岐して延伸し、かつ軸方向に沿って縮径してノズル部を形成し、ノズル部の噴出口が該連結孔より該吐出口１１寄りに位置し、かつ噴出口の端面の中心点を通過する線が延伸して該アスピレータの内壁に至る位置から４５°の傾斜面を形成して縮径し、さらに軸方向に沿って延伸して該ノズル部の噴出口より内径の広い同径部を形成する。【選択図】図１
0003138205.tif 000002
【実用新案登録請求の範囲】
【請求項１】
一端を供給口とし、該供給口に配水管を介して給水設備が接続するとともに、他端を吐出口とし、該吐出口に配水管を介してシャワーヘッドが接続するアスピレータと、
一端が該アスピレータに一体に連結し、他端が該アスピレータと平行して上下にそれぞれ延伸してＴ字状を呈し、該上下に延伸した一方を空気流入部とし、他方を液状洗剤が流入する洗剤流入部とする吸引管と、
該吸引管の空気流入部に介設される空気調整弁と、
該液状洗剤を収納する収納槽であって、かつ該洗剤流入部の末端が内部に進入する洗剤収納槽とを含み、
該アスピレータは、外周面に該吸引管が連結する連結孔を穿設し、該連結孔を穿設する位置より該供給口寄りの適宜な位置から内壁が分岐して延伸し、軸方向に沿って徐々に縮径して、先端が該連結孔を穿設する位置より該吐出口寄りに位置しかつ噴出口が形成されたノズル部を形成し、
さらに該アスピレータの内壁は該ノズル部の噴出口を形成する端面の中心点を通過する線が延伸して該アスピレータの内壁に至る位置から４５°の傾斜面を形成して縮径し、軸方向に沿って延伸して内径が所定の長さだけ同一の同径部を形成し、該吐出口に近接する位置から内径が広がり吐出口に至るとともに、該同径部の内径を該ノズル部の噴出口より広くすることを特徴とするシャワー装置。
【請求項２】
前記吸入管の洗剤流入部に、該洗剤収納槽に収納する液状洗剤が吸引されて該アスピレータに流入する量を調整するための洗剤量調整弁を介設することを特徴とする請求項１に記載のシャワー装置。
【請求項３】
前記洗剤流入部に、直径が該洗剤流入部の内径よりやや狭く、比重が該洗剤収納槽に収納する液状洗剤よりやや重い球体を収納し、
該洗剤流入部の内壁に該球体が液状洗剤とともに吸引されて上昇する動作を適宜な位置で阻止する上昇制限部を一体に形成することを特徴とする請求項１に記載のシャワー装置。
【請求項４】
前記同径部の長さが６０ｍｍであって、該ノズル部の噴出口の口径を３ｍｍとし、該同径部の内径を５ｍｍとすることを特徴とする請求項１乃至請求項３のいずれか一項に記載のシャワー装置。
【考案の詳細な説明】
【技術分野】
【０００１】  この考案は、液状の洗剤と水、又は温水とが混合した洗剤混合水を身体の洗浄に供するシャワー装置に関し、特に、電気的装置を利用することなく液状混合水を提供できる構造の簡易なシャワー装置に関する。
【背景技術】
【０００２】  従来の湯水をシャワーヘッドから噴出させるシャワー装置において、洗剤を予め湯水に混合させた洗剤混合水としてシャワー装置から噴出させた場合、身体に対する好ましい洗浄効果が得られるとともに、シャワーヘッドから噴出する洗剤混合水を身体に当てるという簡易な操作で洗浄できるため、洗浄の手間を省き、時間を節減できるという利点が得られる。よって、係るシャワー装置は、例えば介護用に好ましいものと言える。【０００３】  特許公開２００−１０７０６１公報に開示される発明は、洗剤混合シャワーを提供するものであって、シャワー装置のシャワーホースと水道の接続部分に、洗剤タンク付の中間コネクタを装着し、シャワーホースをこれに接続し、洗剤タンクのバルブを切り換えて洗剤シャワーと通常の湯又は水のシャワーとして使用できるように構成する。【０００４】  上述するシャワー装置は、発明の実施の形態によれば、給湯混合栓にジョイント管を接続し、洗剤タンクを必要位置に固定し、該ジョイント管に螺合するノズル入り口に洗剤ホースを接続し、シャワーホースを接続口に繋ぐ。また、該ノズル入り口は内部にスクリュウ羽根と、これに回転力を与える回転羽根が緩挿される。該スクリュウ羽根は、水流が逆流するのを防止する働きと、洗剤の送り出しのポンプ作用を有する。該回転羽根は該ジョイント管内を流れる支流によって回転して該スクリュウ羽根に回転力を与える。さらに、洗剤タンクには開閉バルブを設ける。係る構成によって洗剤タンクの洗剤を洗剤ホースから吸いだし、ジョイント管を流れる湯と混合してシャワーホースから外部に噴出させるという目的を達成する。【０００５】  しかしながら、上述するシャワー装置は、ノズル入り口内部に緩挿される回転羽根が何らかの原因で正常に回転しなかった場合、ジョイント管を流れる水の一部が洗剤タンクに入り込み、洗剤が薄められたり、泡でタンクが溢れたりするなどの障害が容易に発生する。【０００６】  例えば、前記回転羽根はジョイント管内の突出した状態で設けられるため、ジョイント管内を流れる水の一部が回転羽根の後方からノズル入り口側に進入し、該スクリュウ羽根を圧してスクリュウ羽根の回転に抵抗力が発生するとともに、ノズル入り口で水流が乱れて回転羽根の回転にも抵抗力が発生する。また、回転羽根全体に均一に水圧がかかった場合、回転羽根の回転に発生する抵抗力はさらに大きくなり、回転羽根の送り出しの作用は不均一になる。この場合、洗剤タンクの洗剤は、該洗剤タンクをノズル入り口よりも高所に設けることによって発生する落下の力と、不均一な送り出しの作用による力とでは、水圧に抗することができなくなり、ジョイント管を流れる水の一部が洗剤タンクに入り込む可能性が大きくなる。【０００７】  さらには、前記ノズル入り口の構造は、明細書の記載、及び図面の開示によれば、回転羽根と、スクリュウ羽根と、回転軸と、回転軸を支持するフレームとによって構成する。よって、係る構成の一部が損傷を受けた場合、スクリュウ羽根の水流が逆流するのを防止する働き、もしくは洗剤送り出しのポンプ作用が得られなくなる。係る自体は、構造部の構成が個々の部材を連結してなり、水圧を受けて回転するため十分起こり得ることである。【０００８】  仮に、洗剤を確実に送り出すようにするのであれば、加圧装置としてポンプを設ける必要がある。また、水圧が低いため回転羽根を十分に回転させることができない場合においても、加圧装置としてポンプを設けて水流に加圧する必要がある。但し、加圧装置としてポンプを設けた場合、シャワー装置全体の構造が複雑になり、かつ体積が増大するのみならず、電気的装置を用いることによって安全面で不安となる。
【実用新案参考文献】
特許公開２００−１０７０６１公報
【考案の開示】
【考案が解決しようとする課題】
【０００９】  そこで、洗剤混合水を提供するシャワー装置は、電気的装置を用いることなく、同時に部材の点数を減少させ、かつそれぞれの部材が一体に連結した簡易な構造であることが望ましい。【００１０】  この考案は、上記に鑑みてなされたものであって、シャンプー液、リンス液、ボディシャンプー液などの液状洗剤と湯水とが混合した洗剤混合水を提供するシャワー装置であって、電気的装置を用いることなく、簡易な構造で確実に液状洗剤と湯水を混合できるシャンプー装置を提供することを課題とする。【００１１】  また、この考案は湯水を供給する設備が通常の水道水圧（約０．１〜０．２Ｍｐａ）であっても、シャワーヘッドから十分な勢いで洗剤混合水が噴出するシャンプー装置を提供することを課題とする。
【課題を解決するための手段】
【００１２】  そこで、本考案者は従来の装置に見られる欠点に鑑み鋭意研究を重ねた結果、一端を供給口とし、該供給口に配水管を介して給水設備が接続するとともに、他端を吐出口とし、該吐出口に配水管を介してシャワーヘッドが接続するアスピレータと、一端が該アスピレータに一体に連結し、他端が該アスピレータと平行して上下にそれぞれ延伸してＴ字状を呈し、該上下に延伸した一方を空気流入部とし、他方を液状洗剤が流入する洗剤流入部とする吸引管と、  該吸引管の空気流入部に介設される空気調整弁と、該液状洗剤を収納する収納槽であって、かつ該洗剤流入部の末端が内部に進入する洗剤収納槽とを含み、
該アスピレータは、外周面に該吸引管が連結する連結孔を穿設し、該連結孔を穿設する位置より該供給口寄りの適宜な位置から内壁が分岐して延伸し、かつ軸方向に沿って徐々に縮径して先端に噴出口を有するノズル部を形成し、該噴出口の位置が該連結孔を穿設する位置より該吐出口１１寄りに位置し、かつ該ノズル部の噴出口を形成する端面の中心点を通過する線が延伸して該アスピレータの内壁に至る位置から４５°の傾斜面を形成して縮径し、さらに軸方向に沿って延伸して内径が所定の長さだけ同一の同径部を形成し、該吐出口に近接する位置から内径が広がり吐出口に至り、該同径部の内径を該ノズル部の噴出口より広くしたシャワー装置によって課題を解決できる点に着眼し、係る知見に基づいて本考案を完成させた。
以下、この考案について具体的に説明する。【００１３】  請求項１に記載するシャワー装置は、一端を供給口とし、該供給口に配水管を介して給水設備が接続するとともに、他端を吐出口とし、該吐出口に配水管を介してシャワーヘッドが接続するアスピレータと、
一端が該アスピレータに一体に連結し、他端が該アスピレータと平行して上下にそれぞれ延伸してＴ字状を呈し、該上下に延伸した一方を空気流入部とし、他方を液状洗剤が流入する洗剤流入部とする吸引管と、
該吸引管の空気流入部に介設される空気調整弁と、
該液状洗剤を収納する収納槽であって、かつ該洗剤流入部の末端が内部に進入する洗剤収納槽とを含み、
該アスピレータは、外周面に該吸引管が連結する連結孔を穿設し、該連結孔を穿設する位置より該供給口寄りの適宜な位置から内壁が分岐して延伸し、かつ軸方向に沿って徐々に縮径して先端に噴出口を有するノズル部を形成し、該噴出口の位置が該連結孔を穿設する位置より該吐出口１１寄りに位置し、かつ該ノズル部の噴出口を形成する端面の中心点を通過する線が延伸して該アスピレータの内壁に至る位置から４５°の傾斜面を形成して縮径し、さらに軸方向に沿って延伸して内径が所定の長さだけ同一の同径部を形成し、該吐出口に近接する位置から内径が広がり吐出口に至り、該同径部の内径を該ノズル部の噴出口より広くする。【００１４】  かかる構成によるシャワー装置は、電気的装置を必要とせず、構造が簡易で、かつ確実に洗剤と湯水を混合させて身体の洗浄に供することができる。【００１５】  請求項２に記載するシャワー装置は、請求項１における吸入管の洗剤流入部に、該洗剤収納槽に収納する液状洗剤が吸引されて該アスピレータに流入する量を調整するための洗剤量調整弁を介設する。【００１６】  上述するように洗剤流入部に洗剤量調整弁を介設することによって、前記アスピレータに流入する量の調整を、さらに確実に行うことができる。【００１７】  請求項３に記載するシャワー装置は、請求項１における洗剤流入部に、直径が該洗剤流入部の内径よりやや狭く、比重が該洗剤収納槽に収納する液状洗剤よりやや重い球体を収納し、
該洗剤流入部の内壁に該球体が液状洗剤とともに吸引されて上昇する動作を適宜な位置で阻止する上昇制限部を一体に形成する。【００１８】  係る構成によれば、前記球体が該アスピレータの吸引作用を受けて上昇し、該上昇制限部に当止するまで液状洗剤が該アスピレータに流入し、該球体が該上昇制限部に当止した状態が保持されている間は液状洗剤が該アスピレータに流入する経路が塞がれるので流入しなくなる。したがって、洗剤混合水から洗剤を含まない湯水への切り替えを自動的に行うことができるようになる。【００１９】請求項４に記載するシャワー装置は、請求項１乃至請求項４のいずれか一項における同径部の長さが６０ｍｍであって、該ノズル部の噴出口の口径を３ｍｍとし、該同径部の内径を５ｍｍとする。
【考案の効果】
【００２０】この考案によるシャワー装置は、洗剤混合水を提供することができるため、身体を洗浄する場合に手間と時間を節減することができるという利便性を具え、さらには電気的装置を用いることがないことから、好ましい安全性を有する。また部材の点数が少なく、構造が簡易であるため、取り扱いが容易で、装置の使用寿命を延長させることができるという利点を有する。
【考案を実施するための最良の実施形態】
【００２１】  この考案は、シャンプー液、リンス液、ボディシャンプー液などの液状洗剤と湯水とが混合した洗剤混合水を提供するシャワー装置を提供するものであって、一端を供給口とし、該供給口に配水管を介して給水設備が接続するとともに、他端を吐出口とし、該吐出口に配水管を介してシャワーヘッドが接続するアスピレータと、一端が該アスピレータに一体に連結し、他端が該アスピレータと平行して上下にそれぞれ延伸してＴ字状を呈し、該上下に延伸した一方を空気流入部とし、他方を液状洗剤が流入する洗剤流入部とする吸引管と、該吸引管の空気流入部に介設される空気調整弁と、該液状洗剤を収納する収納槽であって、かつ該洗剤流入部の末端が内部に進入する洗剤収納槽とを含み構成される。
該アスピレータは、外周面に該吸引管が連結する連結孔を穿設し、該連結孔を穿設する位置より該供給口寄りの適宜な位置から内壁が分岐して延伸し、かつ軸方向に沿って徐々に縮径して先端に噴出口を有するノズル部を形成し、該噴出口の位置が該連結孔を穿設する位置より該吐出口１１寄りに位置し、かつ該ノズル部の噴出口を形成する端面の中心点を通過する線が延伸して該アスピレータの内壁に至る位置から４５°の傾斜面を形成して縮径し、さらに軸方向に沿って延伸して内径が所定の長さだけ同一の同径部を形成し、該吐出口に近接する位置から内径が広がり吐出口に至り、該同径部の内径を該ノズル部の噴出口より広くする。
係る構成によって、電気的装置を用いることなく、簡易な構造で確実に液状洗剤と湯水を混合できるシャンプー装置を提供するという目的を達成する。
その構造と実施の形態について、具体的な例を挙げ、図面を参照にして以下に詳述する。
【実施例１】
【００２２】  図１は、この考案によるシャワー装置の構造を示した説明図である。図面によれば、この考案によるシャワー装置は、アスピレータ１と、吸引管２と、空気調整弁３と、洗剤収納槽４とを含み構成される。【００２３】  アスピレータ１は、一端に供給口１０を形成し、他端に吐出口１１を形成する。供給口１０には配水管を介して通常の水道水圧（約０．１〜０．２Ｍｐａ）で水、または温水を供給できる水供給設備（図示しない）を接続する。具体的には、例えば、湯沸かし器の温水供給口、もしくは上水道の蛇口などに接続する。吐出口１１には配水管を介してシャワーヘッドを接続する。【００２４】  吸引管２はＴ字状を呈し、一端がアスピレータ１に一体に連結し、かつ他端がアスピレータ１に平行して上下にそれぞれ延伸して、一方を空気が流入する空気流入部２１とし、他方を液状の洗剤が流入する洗剤流入部２２とする。また、空気流入部２１の末端に空気流入口２１０を形成する。洗剤流入部２２は軸線に沿って直径を徐々に狭くし、末端に洗剤流入口２２０を形成する。【００２５】  吸引管２の空気流入部２１は、末端に形成した空気流入口２１０に至るまでの間の適宜な位置に空気の流入量を調整する空気調整弁３を介装する。【００２６】  洗剤収納槽４は、液状の洗剤を収納するための容器であって、上面を開口面とし、かつ洗剤流入部２２の洗剤流入口２２０を洗剤容器槽４内に位置させる。また、洗剤収納槽４の底面は下方に延伸してピット部４１を形成する。液状の洗剤には、例えばシャンプー液、リンス液、ボディシャンプー液などを含む。【００２７】  アスピレータ１は、図２に開示するように、外周面に吸引管２が連結する連結孔１４を穿設し、上述する吸引管２の一端を一体に連結する。また、連結孔１４を穿設する位置より供給口１０寄りの適宜な位置から内壁が分岐して延伸し、かつ軸方向に沿って徐々に縮径してノズル部１２を形成する。ノズル部１２の先端には噴出口１２０を形成する。噴出口１２０の位置は、連結孔１４を穿設する位置より下流側、即ち吐出口１１寄りに位置させる。【００２８】  また、ノズル部１２の噴出口１２０を形成する端面の中心点を通過する線が延伸してアスピレータ１の内壁に至る位置から４５°の傾斜面１２１を形成して縮径し、さらに軸方向に沿って延伸して内径が所定の長さだけ同一の同径部１３を形成し、吐出口１１に近接する位置から内径が広がり吐出口１１に至る。同径部１３の内径はノズル部１２の噴出口１２１より広くする。【００２９】  同径部１３の長さは少なくとも６０ｍｍ以上とする。同径部１３の長さを６０ｍｍとした場合、好ましくはノズル部１２の噴出口１２１を３ｍｍとし、同径部１３の内径を５ｍｍとする。【００３０】  この考案によるシャワー装置は上述するとおりに構成する。これを使用する場合、アスピレータ１に配水管を介して接続した水供給装置（図示しない）から、該水供給装置の提供する水圧によって水、または温水がアスピレータ１内を流れると、ノズル部１２で一端水圧が上がる。但し、ノズル部１２の噴出口１２０から噴出して同径部１３に流入する場合に減圧するため、吸引管２の空気流入口２１０から空気が吸入され、空気流入部２１を通過して、連結口１４から���スピレータ１内に流入する。同時に洗剤流入口２２０から液状洗剤が吸入され、洗剤流入部２２を通過して、連結口１４からアスピレータ１内に流入し、アスピレータ１のノズル部１２から噴出した水、もしくは温水と混合して洗剤混合水となり、アスピレータ１の同径部１３を通過して吐出口１１から吐出され、さらに配水管を介してシャワーヘッド（図示しない）から噴出する。【００３１】  空気が空気流入口２１０から吸入されてアスピレータ１内に流入することによって、液状洗剤の吸入量を抑制する作用が発生する。即ち、空気の吸入量が増えるにつれて液状洗剤の吸入量が減少する。そこで、空気流入部２１に介設した空気調整弁３を操作して空気の流入量を調整することによって、液状洗剤の吸入量を調整することができる。
４１  ピット部
５        洗剤量調整弁
６        球体
また、空気調整弁３を全開にすると、洗剤槽４に収納した液状洗剤のアスピレータ１内への流入が、流入する空気によって阻止されて、液状洗剤を含まない水、もしくは温水がシャワーヘッドから噴出する。したがって、シャワーヘッドから液状洗剤を含まない水または温水が噴出するか、洗剤混合水が噴出するか選択することができ、かつ洗剤収納槽４に収納した液状洗剤が吸引されてアスピレータ１に流入する量を調整して、短時間ですべて吸入されることを防ぎ、洗剤混合水を身体の各部に用いることができる。【００３２】  洗剤収納槽４は、シャワー装置を収納するハウジング又はフレーム（いずれも図示しない）に固定するか、もしくは着脱自在に設けもよい。【００３３】  空気流入口２１０からアスピレータ１内に流入する空気は、液状洗剤の吸入量を調整するとともに、水流に混入して細分化する作用を有する。細分化された水流がアスピレータ１の同径部１３を通過する場合、水流は減圧されるが、同径部１３を水平に移動することによって、特に中心線に近い水は慣性によって速度が減衰することなく通過する。係る作用によって、通常の水道水圧の水供給設備から水を供給しても、液状洗剤と空気を吸入することができ、かつシャワーヘッドから洗剤混合水、もしくは洗剤を含まない水、温水を勢いよく噴出させることができる。【００３４】  従来の技術におけるアスピレータは、この考案における同径部１３に相当する部分が吐出口に向かって徐々に広がるラッパ形状を呈する。係る形状ではシャワーヘッドから高い位置に在ると、アスピレータから吐出する水圧が十分でなく、シャワーヘッドから噴出する水の勢いが著しく減少するのみならず、甚だしくはシヤワーヘッドから水が噴出することなく、吸引口において逆流減少が発生する場合もある。係る現象を防ぐためには、ポンプなどの加圧装置を設けて配水管からアスピレータ内を流れる水に加圧する。【００３５】  しかしながら、この考案におけるシャワー装置は、上述するように同径部１３を含む特殊な構造のアスピレータ１を具えるため、ポンプなどの加圧装置を必要とせず、シャワーヘッドから洗剤混合水、もしくは洗剤を含まない水、温水を勢いよく噴出させることができる。さらには、電気的装置を使用しないため、安全性についても好ましい効果が得られる。【００３６】  また、洗剤収納槽４に収納する液状洗剤の流入を確実に止め、かつ液状洗剤の流入量をさらに確実に調整するためには、図３に開示するように吸引管２の洗剤流入部２２に洗剤量調整弁５を介装させてもよい。
【実施例２】
【００３７】  図４に第２の実施例を開示する。第２の実施例は、第１の実施例とほぼ同様に構成されるが、吸引管２の洗剤流入部２２’の構造が異なる。【００３８】  図面によれば、洗剤流入部２２’に、直径が洗剤流入部２３’の内径よりやや狭い球体６を収納する。洗剤流入部２２’の内壁には適宜な位置には、球体６が液状洗剤とともに吸引されて上昇する動作を適宜な位置で阻止する上昇制限部２２１を一体に形成する。【００３９】  球体６は液状洗剤に比して比重がやや重い材質を選択する。もしくは内部を中空にして比重を液状洗剤に比してやや重くなるように調整する。【００４０】  係る構成のシャワー装置は、球体６が液状洗剤とともに吸引されて上昇し、液状洗剤が一定量吸入されると球体６が上昇制限部２２１の制限を受けて上昇が止まり、アスピレータ１の吸引力によって上昇制限部２２１に当止した状態が保持される。この状態において、液状洗剤は球体６によってアスピレータ１への流入が阻止され、シャワーヘッドから洗剤を含まない水、又は温水が噴出する。【００４１】  アスピレータ１への水の供給が停止して球体６に対する吸引力が開放されると、球体６は洗剤流入部２２’内を下降して洗剤流入口２２０’に至り、液状洗剤が球体６と洗剤流入部２２’の内壁との隙間から洗剤流入部２２’内に流入する。この状態において、球体６は液状洗剤より比重が重いため、洗剤流入口２２０’に留まる。球体６の上昇する速度は、空気調整弁３によって調整する。係る球体６の吸引、当止、下降の動作が反復して行われることによって、洗剤収納槽４に収納した液状洗剤を複数回に分けて使用することができる。即ち、シャワー装置を使用する毎に液状洗剤収納槽４に補充する必要がなく、使用上便利である。【００４２】  以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【図面の簡単な説明】
【図１】  この考案によるシャワー装置の構造を示した説明図である（実施例１）
【図２】  この考案におけるアスピレータの構造を示した断面図である。
【図３】  この考案によるシャワー装置の他の実施の形態を示した説明図である。
【図４】  別の実施の形態によるシャワー装置の構造を示した説明図である（実施例２）。
【符号の説明】
１        アスピレータ
１０  供給口
１１  吐出口
１２  ノズル部
１２０    噴出口
１２１    傾斜面
１３  同径部
１４  連結口
２        吸引管
２１  空気流入部
２１０    空気流入口
２２  洗剤流入部
２２’    洗剤流入部
２２０    洗剤流入口
２２０’洗剤流入口
２２１    上昇制限部
３        空気調整弁
４        洗剤収入槽
【図１】
0003138205.tif 000003
【図２】
0003138205.tif 000004
【図３】
0003138205.tif 000005
【図４】
0003138205.tif 000006